(57)【要約】【課題】防水機能を好適に維持できる携帯電子機器を提供する。【解決手段】携帯電子機器１は、開かれる場合に筐体に係合して第１支点となる係合爪１１ａを有するリアカバー１１と、開かれる場合に筐体に係合して第２支点となる係合爪１０ｃを有するバッテリカバー１０と、筐体とバッテリカバー１０との連結部に配置された防水パッキン１２と、を備える。バッテリカバー１０は、筐体への嵌合時にリアカバー１１より筐体の内部側にてリアカバー１１と重畳して配置され、リアカバー１１の第１支点は、平面視したときにバッテリカバー１０の一方側端部に配置され、バッテリカバー１０の第２支点は、平面視したときにリアカバー１１の他方側端部に配置される。【選択図】図２
2014086980.tif 000002
【特許請求の範囲】
【請求項１】
開かれる場合に筐体に係合して第１支点となる外蓋爪を有する外蓋と、
開かれる場合に前記筐体に係合して第２支点となる内蓋爪を有する内蓋と、
前記筐体と前記内蓋との連結部に配置された防水パッキンと、
を備え、
前記内蓋は、前記筐体への嵌合時に前記外蓋より前記筐体の内部側にて前記外蓋と重畳して配置され、
前記第１支点は、平面視したときに前記内蓋の一方側端部に配置され、
前記第２支点は、平面視したときに前記外蓋の他方側端部に配置される
ことを特徴とする携帯電子機器。
【請求項２】
前記第１支点及び前記第２支点を結ぶ線分が、平面視で前記筐体の長手方向に沿うように、前記第１支点及び前記第２支点が配置されることを特徴とする、請求項１に記載の携帯電子機器。
【請求項３】
前記第１支点は、当該携帯電子機器の長手方向上側に配置され、前記第２支点は、当該携帯電子機器の長手方向下側に配置されることを特徴とする、請求項２に記載の携帯電子機器。
【発明の詳細な説明】
【技術分野】
【０００１】
本発明は、携帯電子機器に関する。
【背景技術】
【０００２】
携帯電子機器の防水構造として、部材間の連結部に防水パッキンを配置する構成が知られている（例えば特許文献１）。
【先行技術文献】
【特許文献】
【０００３】
【特許文献１】特開２０１２−１７５０５６号公報
【発明の概要】
【発明が解決しようとする課題】
【０００４】
しかしながら、携帯電子機器の筐体と、電池蓋などの蓋部材との連結部分においては、デザイン性の問題により、部材間の連結部分に防水パッキンを設けることができない場合があった。
【０００５】
本発明は、上記に鑑みてなされたものであって、防水機能を好適に維持できる携帯電子機器を提供することを目的とする。
【課題を解決するための手段】
【０００６】
上記課題を解決するために、本発明に係る携帯電子機器は、開かれる場合に筐体に係合して第１支点となる外蓋爪を有する外蓋と、開かれる場合に前記筐体に係合して第２支点となる内蓋爪を有する内蓋と、前記筐体と前記内蓋との連結部に配置された防水パッキンと、を備え、前記内蓋は、前記筐体への嵌合時に前記外蓋より前記筐体の内部側にて前記外蓋と重畳して配置され、前記第１支点は、平面視したときに前記内蓋の一方側端部に配置され、前記第２支点は、平面視したときに前記外蓋の他方側端部に配置されることを特徴とする。
【０００７】
また、上記の携帯電子機器において、前記第１支点及び前記第２支点を結ぶ線分が、平面視で前記筐体の長手方向に沿うように、前記第１支点及び前記第２支点が配置されることが好ましい。
【０００８】
また、上記の携帯電子機器において、前記第１支点は、当該携帯電子機器の長手方向上側に配置され、前記第２支点は、当該携帯電子機器の長手方向下側に配置されることが好ましい。
【発明の効果】
【０００９】
本発明に係る携帯電子機器は、筐体と内蓋との連結部に配置された防水パッキンにより防水機能を実現し、さらに外蓋により内蓋が開くのを抑止できるので、防水機能を好適に維持できるという効果を奏する。
【図面の簡単な説明】
【００１０】
【図１】図１は、本発明の一実施形態に係る携帯電子機器の斜視図である。
【図２】図２は、本実施形態に係る携帯電子機器の正面側の分解斜視図である。
【図３】図３は、本実施形態に係る携帯電子機器の背面側の分解斜視図である。
【図４】図４は、図２，３中のバッテリカバーの三面図である。
【図５】図５は、図２，３中のリアカバーの三面図である。
【図６】図６は、バッテリカバーをリアケースに装着する動作を説明するための斜視図である。
【図７】図７は、リアカバーをリアケースに装着する動作を説明するための斜視図である。
【図８】図８は、バッテリカバー及びリアカバーをリアケースに装着した状態を示す斜視図である。
【発明を実施するための形態】
【００１１】
以下に、本発明に係る携帯電子機器の実施形態を図面に基づいて説明する。なお、以下の図面において、同一または相当する部分には同一の参照番号を付し、その説明は繰り返さない。
【００１２】
［実施形態］
まず、図１〜５を参照して、本実施形態に係る携帯電子機器の全体構成について説明する。図１は、本実施形態に係る携帯電子機器の斜視図であり、図２は、本実施形態に係る携帯電子機器の正面側の分解斜視図であり、図３は、本実施形態に係る携帯電子機器の背面側の分解斜視図であり、図４は、図２，３中のバッテリカバーの三面図であり、図５は、図２，３中のリアカバーの三面図である。以下の説明では、図２，３の上方向を携帯電子機器１の上側、下方向を携帯電子機器１の下側、右方向を携帯電子機器１の正面側、左方向を携帯電子機器１の背面側とする。また、携帯電子機器１の上下方向を長手方向とも記載する。
【００１３】
携帯電子機器１は防水機能を有する。図１に示すように、本実施形態では、防水機能を有する携帯電子機器１の一例として、ＰＨＳ（Ｐｅｒｓｏｎａｌ  Ｈａｎｄｙ−ｐｈｏｎｅ  Ｓｙｓｔｅｍ）を取り上げて説明する。
【００１４】
図１〜３に示すように、携帯電子機器１は、正面側のフロントケース５と、背面側のリアケース６をと嵌合させることで、上下方向を長径とする略直方体形状の筐体構造をとる。フロントケース５及びリアケース６は、たとえば樹脂により成形される。この筐体構造の内部には、基板２、表示部３、及びキー基板４が搭載されている。フロントケース５は、上下方向の略中間位置にてフロントケース上部５１とフロントケース下部５２に区分され、リアケース６は、上下方向の略中間位置にてリアケース上部６１とリアケース下部６２に区分される。
【００１５】
基板２は、略平板形状をした、たとえば制御部などの各種半導体チップを表面に有する部品である。基板２は、図１に示すように正面側の上部に表示部３が設置され、正面側の下部にキー基板４が設置される。
【００１６】
表示部３は、待ち受け画像、メニュー画像等の種々の情報を表示するものである。表示部３は、例えば液晶ディスプレイ（Ｌｉｑｕｉｄ  Ｃｒｙｓｔａｌ  Ｄｉｓｐｌａｙ：ＬＣＤ）や有機ＥＬ（Ｏｒｇａｎｉｃ  Ｅｌｅｃｔｒｏ−Ｌｕｍｉｎｅｓｃｅｎｃｅ）パネル等を有する表示パネルである。表示部３は、フロントケース上部５１を介して外部に情報を表示する。
【００１７】
キー基板４は、後述するキーシート７上に配置される各種ボタン７１を介した操作入力を検出する基板である。キー基板４の正面側の表面には、ボタン７１に個別に対応付けられた複数の検出素子４１が配置されている。検出素子４１のそれぞれは、正面側方向へ凸形状をとる。複数の検出素子４１は、キーシート７のボタン７１と同一の配列でキーシート上に固設されている。キー基板４は、筐体構造内に組み込まれた際に、検出素子４１の全てをフロントケース下部５２に設けられた開口部５３から正面側に露出するよう配置されている。
【００１８】
フロントケース下部５２の外側には、キーシート７が配置される。キーシート７は、正面側の表面上に、ユーザが各種操作入力を行なうためのボタン７１を備える。キーシート７の背面側の表面上には、ボタン７１ごとに個別に突起部７２が設けられている。複数の突起部７２は、例えばＵＶ硬化樹脂により成形され、背面側に向かって凸形状をとる。
【００１９】
突起部７２のそれぞれは、正面側のボタン７１のうち対応付けられた１つのボタンの中心位置に配置される。つまり、複数の突起部７２は、ボタン７１と同一の配列でキーシート７の背面側に固設されている。したがって、キーシート７がキー基板４上に取り付けられる際には、キーシート７の突起部７２のそれぞれは、キー基板４上の複数の検出素子４１の１つと対向して配置される。ユーザによりボタン７１が押されると、キーシート７の突起部７２によりキー基板４の検出素子４１が押圧され、これによりボタンが押されたことが検出される。また、キーシート７は防水機能を有する。
【００２０】
キーシート７の外側から、キーシート７及びフロントケース下部５２の全体を覆うようにフロントカバー８が設置される。フロントカバー８は、フロントケース下部５２の側方にてフロントケース５と嵌合する。フロントカバー８の嵌合時には、図１に示すように、フロントケース上部５１及びフロントカバー８により、携帯電子機器１の正面側の外表面が形成される。
【００２１】
リアケース下部６２には、バッテリ９を筐体内部の基板２に接続し、筐体内に収用するためのバッテリ収納用の開口部６３が設けられている。バッテリ９は、基板２の制御部、表示部３などの各部品に電力を供給する部品である。
【００２２】
リアケース下部６２には、バッテリ９を配置した領域を覆うバッテリカバー１０（内蓋）が脱着可能な状態で装着される。バッテリカバー１０は、開口部６３と同様に略長方形状の板部材であり、筐体への取り付け時には開口部６３に嵌合される。バッテリカバー１０は、背面側の平面部１０ａと、この平面部１０ａの外縁に沿って正面側に延在する側面部１０ｂとを有する。
【００２３】
図４に、バッテリカバー１０の三面図を示す。図４中の（ａ）で示す領域は、バッテリカバー１０を背面側から視た図であり、図４中の（ｂ）で示す領域は、（ａ）の図の右側面図であり、図４中の（ｃ）で示す領域は、バッテリカバー１０を下側から視た図である。図２，４に示すように、側面部１０ｂのうち下側の一辺上に、係合爪１０ｃ（内蓋爪）が設けられる。係合爪１０ｃは、図３に示す開口部６３の下端に設けられた係合溝６４に係合可能に配置されている。バッテリカバー１０は、係合爪１０ｃと係合溝６４とが係合する下側の一辺を支点（第２支点）として、リアケース６（筐体）と脱着可能に構成されている。すなわち、バッテリカバー１０は、リアケース６への取り付け時には、下側の一辺を支点として、背面側から開口部６３に向かって閉じ、リアケース６から取り外す際には、下側の一辺を支点として、開口部６３から背面側に開く。
【００２４】
図２〜４に示すように、バッテリカバー１０の側面部１０ｂの全周にわたって、防水パッキン１２が配置されている。バッテリカバー１０がリアケース６の開口部６３に嵌合される際には、この防水パッキン１２によって、バッテリカバー１０とリアケース下部６２及び開口部６３との連結部分が水密構造となる。
【００２５】
バッテリカバー１０及びリアケース下部６２の全体を覆うようにリアカバー１１（外蓋）が設置される。図５に、リアカバー１１の三面図を示す。図５中の（ａ）で示す領域は、リアカバー１１を正面側から視た図であり、図５中の（ｂ）で示す領域は、（ａ）の図の右側面図であり、図５中の（ｃ）で示す領域は、リアカバー１１を上側から視た図である。図２，３，５に示すように、リアカバー１１は、リアケース下部６２の表面形状に沿って、両側部が正面側に湾曲した板部材である。
【００２６】
リアカバー１１の上部の縁端に、係合爪１１ａ（外蓋爪）が設けられる。係合爪１１ａは、図３に示すリアケース下部６２の上端のリアケース上部６１との境界近傍に設けられた係合溝６５に係合可能に配置されている。リアカバー１１は、係合爪１１ａと係合溝６５とが係合する上側の一辺を支点（第１支点）として、リアケース６（筐体）と脱着可能に構成されている。すなわち、リアカバー１１は、リアケース６への取り付け時には、上側の一辺を支点として、背面側からリアケース下部６２に向かって閉じ、リアケース６から取り外す際には、上側の一辺を支点として、リアケース下部６２から背面側に開く。
【００２７】
リアカバー１１は、正面側の両側部に設けられた嵌合部１１ｂにより、リアケース下部６２と嵌合する。リアカバー１１の嵌合時には、リアケース上部６１及びリアカバー１１により、携帯電子機器１の背面側の外表面が形成される。
【００２８】
このように、バッテリカバー１０は、リアケース６（筐体）への嵌合時には、リアカバー１１よりリアケース６の内部側にて、リアカバー１１と重畳して配置される。また、バッテリカバー１０の係合爪１０ｃによる支点（第２支点）は、バッテリカバー１０の下側の一辺に沿ったものであり、平面視したときにバッテリカバー１０の下側端部に配置される。リアカバー１１の係合爪１１ａによる支点（第１支点）は、リアカバー１１の上側の一辺に沿ったものであり、平面視したときにリアカバー１１の上側端部に配置される。リアカバー１１の支点（第１支点）と、バッテリカバー１０の支点（第２支点）とは、対辺方向に配置されている。この対辺方向は、携帯電子機器１の長手方向である。つまり、リアカバー１１の支点（第１支点）と、バッテリカバー１０の支点（第２支点）とを結ぶ線分が、平面視で筐体の長手方向に沿うように、両支点が配置されている。
【００２９】
次に、図６〜８を参照して、本実施形態に係る携帯電子機器１によるバッテリカバー１０及びリアカバー１１の筐体への装着動作について説明する。図６は、バッテリカバーをリアケースに装着する動作を説明するための斜視図であり、図７は、リアカバーをリアケースに装着する動作を説明するための斜視図であり、図８は、バッテリカバー及びリアカバーをリアケースに装着した状態を示す斜視図である。
【００３０】
バッテリ９をリアケース下部６２の開口部６３から筐体内部の基板へ接続した状態で、図６に矢印Ａで示すように、バッテリカバー１０の係合爪１０ｃが、開口部６３の下部に設けられた係合溝６４に挿入される。係合爪１０ｃが係合溝６４に係合された状態で、図６に矢印Ｂで示すように、バッテリカバー１０がリアケース６側に押し込まれると、バッテリカバー１０は係合爪１０ｃを有する下側の一辺を支点として開口部６３に向かって閉じられ、最終的に開口部６３に嵌合される。この状態で、バッテリカバー１０の側部に配置された防水パッキン１２により、バッテリカバー１０とリアケース下部６２の開口部６３との結合部分が密封され、筐体内が水密構造となる。
【００３１】
次に、図７に矢印Ｃで示すように、リアカバー１１の係合爪１１ａが、リアケース下部の上端に設けられた係合溝６５に挿入される。係合爪１１ａが係合溝６５に係合された状態で、図７に矢印Ｄで示すように、リアカバー１１がリアケース６側に押し込まれると、リアカバー１１は、係合爪１１ａを有する上側の一辺を支点としてリアケース下部６２に向かって閉じられ、最終的に、リアケース下部６２及びバッテリカバー１０を覆うようにリアケース下部６２に嵌合される。
【００３２】
リアカバー１１の嵌合が完了すると、図８に示すように、リアカバー１１の表面とリアケース上部６１の表面とが連続的に連結され、リアケース上部６１及びリアカバー１１により、携帯電子機器１の背面側の外表面が形成される。
【００３３】
次に、本実施形態に係る携帯電子機器１の効果について説明する。
【００３４】
本実施形態の携帯電子機器１は、開かれる場合にリアケース６（筐体）に係合して第１支点となる係合爪１１ａを有するリアカバー１１と、開かれる場合にリアケース６（筐体）に係合して第２支点となる係合爪１０ｃを有するバッテリカバー１０と、リアケース６とバッテリカバー１０との連結部に配置された防水パッキン１２と、を備える。バッテリカバー１０は、リアケース６への嵌合時にリアカバー１１よりリアケース６の内部側にてリアカバー１１と重畳して配置される。リアカバー１１の第１支点は、平面視したときにバッテリカバー１０の上側端部側に配置され、バッテリカバー１０の第２支点は、平面視したときにリアカバー１１の下側端部側に配置される。
【００３５】
この構成により、バッテリカバー１０がリアケース６に嵌合された際には、防水パッキン１２により筐体内の防水機能を実現できる。また、バッテリカバー１０は、リアカバー１１の内側に重畳配置され、バッテリカバー１０とリアカバー１１の脱着時の支点が対辺方向にあるので、外側のリアカバー１１によりバッテリカバー１０が開くのを抑止することができる。つまり、リアカバー１１は、防水機能を備えるバッテリカバー１０のロック機構として作用する。これにより、防水機能の信頼性を向上できる。この結果、携帯電子機器１は、防水機能を好適に維持できる。また、外表面を形成するリアカバー１１と筐体との間に防水構造が不要となるので、携帯電子機器１のデザイン性の自由度を向上できる。
【００３６】
また、本実施形態の携帯電子機器１において、リアカバー１１の第１支点とバッテリカバー１０の第２支点とを結ぶ線分が、平面視でリアケース６（筐体）の長手方向に沿うように、第１支点及び第２支点が配置される。この構成により、リアカバー１１及びバッテリカバー１０の脱着動作の操作性を向上できる。
【００３７】
また、本実施形態の携帯電子機器１において、リアカバー１１の第１支点は、携帯電子機器１の長手方向上側に配置され、バッテリカバー１０の第２支点は、携帯電子機器１の長手方向下側に配置される。この構成により、外側のリアカバー１１の係合爪１１ａは、リアケース６の中央部のリアケース上部６１及びリアケース下部６２の境界近傍にて係合すればよいので、リアケース６の下端にて係合する場合と比べて、係合爪１１ａを係合するために必要なスペースを十分に確保することができる。したがって、リアカバー１１の係合要素の配置を容易に行なうことができる。
【００３８】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれるものである。
【００３９】
また、上記実施形態では、携帯電子機器１の一例としてＰＨＳを取り上げて説明したが、本発明に係る携帯電子機器はＰＨＳに限定されるものではなく、例えば、携帯電話機、ＰＤＡ（Ｐｅｒｓｏｎａｌ  Ｄｉｇｉｔａｌ  Ａｃｃｉｓｔａｎｔ）、ポータブルナビゲーション装置、ノートパソコン、ゲーム機等の他のタイプの携帯電子機器にも同様に適用することができる。
【００４０】
また、上記の実施形態では、内蓋としてのバッテリカバー１０の第一支点が下側端部の一辺であり、外蓋としてのリアカバー１１の第二支点が上側端部の一辺である構成を例示したが、第一支点と第二支点とは対辺方向に配置されればよく、例えば上記実施形態とは反対に第一支点が上側端部の一辺、第二支店が下側端部の一辺であってもよいし、対辺方向を上下方向以外としてもよい。
【符号の説明】
【００４１】
１  携帯電子機器
１０  バッテリカバー（内蓋）
１０ｃ  係合爪（内蓋爪）
１１  リアカバー（外蓋）
１１ａ  係合爪（外蓋爪）
１２  防水パッキン
【図１】
2014086980.tif 000003
【図２】
2014086980.tif 000004
【図３】
2014086980.tif 000005
【図４】
2014086980.tif 000006
【図５】
2014086980.tif 000007
【図６】
2014086980.tif 000008
【図７】
2014086980.tif 000009
【図８】
2014086980.tif 000010